(57)【特許請求の範囲】
【請求項１】
無線ネットワークノードにおいてアンテナポートを通じて基準信号を送信する方法であって、当該基準信号は符号分割多重（ＣＤＭ）グループにより送信され、当該ＣＤＭグループには２つのＣＤＭサブグループが含まれており、各ＣＤＭサブグループは異なるサブキャリアによって送信され、各ＣＤＭサブグループはリソースエレメントを含んでおり、前記方法は、
直交カバーコードを使用して、第１のタイムスロットと当該第１のタイムスロットに続く第２のタイムスロットとによるリソースエレメントを有する第１のＣＤＭサブグループ（５１０、７１０）により前記基準信号を送信するステップ（６１０）と、
前記直交カバーコードの置換を使用して、前記第１のタイムスロットと前記第２のタイムスロットとによるリソースエレメントを有する第２のＣＤＭサブグループ（５２０、７２０）により前記基準信号を送信するステップ（６２０）と
を有し、
前記直交カバーコードの置換は、前記第１のタイムスロットに含まれている前記ＣＤＭグループにおけるリソースエレメントにだけ前記直交カバーコードを適用することで、前記基準信号を周波数領域において復号できるように選択され、前記第１のＣＤＭサブグループ（５１０、７１０）は、２つのリソースブロックにわたって、前記第２のＣＤＭサブグループ（５２０、７２０）と同一の回数だけ繰り返され、
前記方法は、
第２のアンテナポートを通じて第２のＣＤＭグループにより第２の基準信号を送信するステップをさらに有し、当該第２のＣＤＭグループには２つのＣＤＭサブグループが含まれており、各ＣＤＭサブグループは異なるサブキャリアによって送信され、各ＣＤＭサブグループは１つ以上のリソースエレメントを含んでおり、
前記方法は、
前記直交カバーコードを使用して、前記第１のタイムスロットと前記第２のタイムスロットとによるリソースエレメントを有する第３のＣＤＭサブグループ（７３０）により前記第２の基準信号を送信するステップ（８３０）と、
前記直交カバーコードの第２の置換を使用して、前記第１のタイムスロットと前記第２のタイムスロットとによるリソースエレメントを有する第４のＣＤＭサブグループ（７４０）により前記第２の基準信号を送信するステップ（８４０）と
を有し、
前記直交カバーコードの第２の置換は、前記第１のタイムスロットに含まれている前記第２のＣＤＭグループにおけるリソースエレメントにだけ前記直交カバーコードを適用することで、前記第２の基準信号を周波数領域において復号できるように選択され、前記第３のＣＤＭサブグループ（７３０）は、２つのリソースブロックにわたって、前記第４のＣＤＭサブグループ（７４０）と同一の回数だけ繰り返され、前記第１のタイムスロットまたは前記第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とする方法。
【請求項２】
前記第３のＣＤＭサブグループ（７３０）は前記第１のＣＤＭサブグループ（７１０）に隣接しており、前記第４のＣＤＭサブグループ（７４０）は前記第２のＣＤＭサブグループ（７２０）に隣接していることを特徴とする請求項１に記載の方法。
【請求項３】
前記直交カバーコードはウォルッシュ符号であることを特徴とする請求項１または２に記載の方法。
【請求項４】
前記直交カバーコードの置換は、前記直交カバーコードのシフトを含むことを特徴とする請求項１ないし３のいずれか１項に記載の方法。
【請求項５】
前記直交カバーコードの置換は、前記第１のＣＤＭサブグループ（５１０、７１０）における前記第１のタイムスロットのリソースエレメントに適用されていた符号要素を前記第２のＣＤＭサブグループ（５２０、７２０）における前記第２のタイムスロットのリソースエレメントに適用するとともに、前記第２のＣＤＭサブグループ（５２０、７２０）における前記第２のタイムスロットのリソースエレメントに適用されていた符号要素を前記第１のＣＤＭサブグループ（５１０、７１０）における前記第１のタイムスロットのリソースエレメントに適用することを含むことを特徴とする請求項１ないし４のいずれか１項に記載の方法。
【請求項６】
前記直交カバーコードの置換は、符号要素の並び順序を反転させることを含むことを特徴とする請求項１ないし４のいずれか１項に記載の方法。
【請求項７】
前記直交カバーコードは、長さが４であり、各ＣＤＭサブグループは、４つのリソースエレメントを有することを特徴とする請求項１ないし６のいずれか１項に記載の方法。
【請求項８】
４つのアンテナポートからの基準信号は、前記第１のＣＤＭサブグループ（５１０）および前記第２のＣＤＭサブグループ（５２０）にわたって多重化されており、前記４つのアンテナポートのそれぞれには異なる直交カバーコードが使用されていることを特徴とする請求項７に記載の方法。
【請求項９】
さらに別の４つのアンテナポートからの基準信号は、第３のＣＤＭサブグループ（７３０）および第４のＣＤＭサブグループ（７４０）にわたって多重化されており、前記さらに別の４つのアンテナポートのそれぞれには異なる直交カバーコードが使用されていることを特徴とする請求項７に記載の方法。
【請求項１０】
ユーザ装置において符号分割多重（ＣＤＭ）グループにより受信した基準信号を復号する方法であって、当該ＣＤＭグループには２つのＣＤＭサブグループが含まれており、各ＣＤＭサブグループは異なるサブキャリアにおいて受信され、各ＣＤＭサブグループは第１のタイムスロットと当該第１のタイムスロットに続く第２のタイムスロットとによるリソースエレメントを含んでおり、前記方法は、
第１のＣＤＭサブグループに含まれている第１のセットのリソースエレメントと、第２のＣＤＭサブグループに含まれている第２のセットのリソースエレメントとを、第１のタイムスロットにおいて受信するステップ（１５１０）と、
前記第１のセットのリソースエレメントと前記第２のセットのリソースエレメントとに直交カバーコードを適用して前記基準信号を復号するステップ（１５２０）と
を有し、前記第１のＣＤＭサブグループ（５１０、７１０）は、２つのリソースブロックにわたって、前記第２のＣＤＭサブグループ（５２０、７２０）と同一の回数だけ繰り返され、
前記方法は、
第２の符号分割多重（ＣＤＭ）グループにより受信した第２の基準信号を復号するステップをさらに有し、当該第２のＣＤＭグループには２つのＣＤＭサブグループが含まれており、各ＣＤＭサブグループは異なるサブキャリアにおいて受信され、各ＣＤＭサブグループは前記第１のタイムスロットと前記第２のタイムスロットとによるリソースエレメントを含んでおり、
前記方法は、
第３のＣＤＭサブグループに含まれている第３のセットのリソースエレメントと、第４のＣＤＭサブグループに含まれている第４のセットのリソースエレメントとを、前記第１のタイムスロットにおいて受信するステップ（１５３０）であって、前記第３のＣＤＭサブグループ（７３０）は、２つのリソースブロックにわたって、前記第４のＣＤＭサブグループ（７４０）と同一の回数だけ繰り返されるものである、当該ステップと、
前記第３のセットのリソースエレメントと前記第４のセットのリソースエレメントとに直交カバーコードを適用して前記第２の基準信号を復号するステップ（１５４０）と
をさらに有し、前記第１のタイムスロットまたは前記第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とする方法。
【請求項１１】
２つのリソースエレメントがそれぞれのＣＤＭサブグループの前記第１のタイムスロットにおいて受信されることを特徴とする請求項１０に記載の方法。
【請求項１２】
各基準信号について前記第１のセットのリソースエレメントと前記第２のセットのリソースエレメントとに異なる直交カバーコードを適用することで、３つの別の基準信号を復号するステップをさらに有することを特徴とする請求項１０または１１に記載の方法。
【請求項１３】
各基準信号について前記第３のセットのリソースエレメントと前記第４のセットのリソースエレメントとに異なる直交カバーコードを適用することで、さらに３つの別の基準信号を復号するステップをさらに有することを特徴とする請求項１０ないし１２のいずれか１項に記載の方法。
【請求項１４】
無線ネットワークノードにおいて基準信号を送信する方法であって、第１の基準信号は第１の符号分割多重（ＣＤＭ）グループにより送信され、第２の基準信号は第２の符号分割多重（ＣＤＭ）グループにより送信され、各ＣＤＭグループにはそれぞれ２つのＣＤＭサブグループが含まれており、各ＣＤＭサブグループはリソースエレメントを含んでおり、前記方法は、
直交カバーコードを使用して、第１のタイムスロットと当該第１のタイムスロットに続く第２のタイムスロットとによるリソースエレメントを有する第１のＣＤＭサブグループにより前記第１の基準信号を送信するとともに、当該直交カバーコードの置換を使用して、前記第１のタイムスロットと前記第２のタイムスロットとによるリソースエレメントを有する第２のＣＤＭサブグループにより前記第１の基準信号を送信するステップ（１３１０）と、
前記直交カバーコードを使用して、前記第１のタイムスロットと前記第２のタイムスロットとによるリソースエレメントを有する第３のＣＤＭサブグループにより前記第２の基準信号を送信するとともに、当該直交カバーコードの置換を使用して、前記第１のタイムスロットと前記第２のタイムスロットとによるリソースエレメントを有する第４のＣＤＭサブグループにより前記第２の基準信号を送信するステップ（１３２０）と
を有し、
前記直交カバーコードの置換は、単一のリソースブロックにおけるピークパワーのランダム化を実現するように選択されており、前記第１のＣＤＭサブグループ（５１０、７１０）は、２つのリソースブロックにわたって、前記第２のＣＤＭサブグループ（５２０、７２０）と同一の回数だけ繰り返され、前記第３のＣＤＭサブグループは、１つのリソースブロックにわたって、前記第４のＣＤＭサブグループと同一の回数だけ繰り返され、第１のタイムスロットまたは第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とする方法。
【請求項１５】
前記直交カバーコードの置換は、符号要素の並び順序を反転させることを含むことを特徴とする請求項１４に記載の方法。
【請求項１６】
各ＣＤＭサブグループは２つのリソースエレメントを含んでいることを特徴とする請求項１４または１５に記載の方法。
【請求項１７】
前記直交カバーコードは、長さが２であるウォルッシュコードであることを特徴とする請求項１４ないし１６のいずれか１項に記載の方法。
【請求項１８】
２つのアンテナポートからの基準信号が前記第１のＣＤＭサブグループおよび前記第２のＣＤＭサブグループにわたって多重化されており、前記２つのアンテナポートのそれぞれには異なる直交カバーコードが使用されており、別の２つのアンテナポートからの基準信号が前記第３のＣＤＭサブグループおよび前記第４のＣＤＭサブグループにわたって多重化されており、前記別の２つのアンテナポートのそれぞれには異なる直交カバーコードが使用されていることを特徴とする請求項１４ないし１７のいずれか１項に記載の方法。
【請求項１９】
アンテナポートを通じて基準信号を送信するように構成された無線ネットワークノード（１６００）であって、当該基準信号は符号分割多重（ＣＤＭ）グループにより送信され、当該ＣＤＭグループには２つのＣＤＭサブグループが含まれており、各ＣＤＭサブグループは異なるサブキャリアによって送信され、各ＣＤＭサブグループはリソースエレメントを含んでおり、前記無線ネットワークノード（１６００）は、１つ以上のプロセッシング回路（１６１０、１６２０）を備えており、当該１つ以上のプロセッシング回路（１６１０、１６２０）は、
直交カバーコードを使用して、第１のタイムスロットと当該第１のタイムスロットに続く第２のタイムスロットとによるリソースエレメントを有する第１のＣＤＭサブグループ（５１０、７１０）により前記基準信号を送信し（６１０）、
前記直交カバーコードの置換を使用して、前記第１のタイムスロットと前記第２のタイムスロットとによるリソースエレメントを有する第２のＣＤＭサブグループ（５２０、７２０）により前記基準信号を送信する（６２０）
ように構成されており、
前記１つ以上のプロセッシング回路（１６１０、１６２０）は、さらに、前記第１のタイムスロットに含まれている前記ＣＤＭグループにおけるリソースエレメントにだけ前記直交カバーコードを適用することで、前記基準信号を周波数領域において復号できるように、前記直交カバーコードの置換を選択するように構成されており、前記第１のＣＤＭサブグループ（５１０、７１０）は、２つのリソースブロックにわたって、前記第２のＣＤＭサブグループ（５２０、７２０）と同一の回数だけ繰り返され、
前記無線ネットワークノード（１６００）は、さらに、第２のアンテナポートを通じて第２のＣＤＭグループにより第２の基準信号を送信するように構成されており、当該第２のＣＤＭグループには２つのＣＤＭサブグループが含まれており、各ＣＤＭサブグループは異なるサブキャリアによって送信され、各ＣＤＭサブグループは１つ以上のリソースエレメントを含んでおり、
前記プロセッシング回路（１６１０、１６２０）は、
前記直交カバーコードを使用して、前記第１のタイムスロットと前記第２のタイムスロットとによるリソースエレメントを有する第３のＣＤＭサブグループ（７３０）により前記第２の基準信号を送信し（８３０）、
前記直交カバーコードの第２の置換を使用して、前記第１のタイムスロットと前記第２のタイムスロットとによるリソースエレメントを有する第４のＣＤＭサブグループ（７４０）により前記第２の基準信号を送信する（８４０）ように構成されており、
前記直交カバーコードの第２の置換は、前記第１のタイムスロットに含まれている前記第２のＣＤＭグループにおけるリソースエレメントにだけ前記直交カバーコードを適用することで、前記第２の基準信号を周波数領域において復号できるように選択され、前記第３のＣＤＭサブグループ（７３０）は、２つのリソースブロックにわたって、前記第４のＣＤＭサブグループ（７４０）と同一の回数だけ繰り返され、前記第１のタイムスロットまたは前記第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とする無線ネットワークノード。
【請求項２０】
符号分割多重（ＣＤＭ）グループにより受信した基準信号を復号するように構成されたユーザ装置（１７００）であって、当該ＣＤＭグループには２つのＣＤＭサブグループが含まれており、各ＣＤＭサブグループは異なるサブキャリアにおいて受信され、各ＣＤＭサブグループは第１のタイムスロットと当該第１のタイムスロットに続く第２のタイムスロットとによるリソースエレメントを含んでおり、前記ユーザ装置（１７００）は、１つ以上のプロセッシング回路（１７１０、１７２０）を備えており、当該１つ以上のプロセッシング回路（１７１０、１７２０）は、
第１のＣＤＭサブグループに含まれている第１のセットのリソースエレメントと、第２のＣＤＭサブグループに含まれている第２のセットのリソースエレメントとを、第１のタイムスロットにおいて受信し、
前記第１のセットのリソースエレメントと前記第２のセットのリソースエレメントとに直交カバーコードを適用して前記基準信号を復号する
ように構成されており、前記第１のＣＤＭサブグループ（５１０、７１０）は、２つのリソースブロックにわたって、前記第２のＣＤＭサブグループ（５２０、７２０）と同一の回数だけ繰り返され、
前記ユーザ装置（１７００）は、さらに、第２の符号分割多重（ＣＤＭ）グループにより受信した第２の基準信号を復号するように構成されており、当該第２のＣＤＭグループには２つのＣＤＭサブグループが含まれており、各ＣＤＭサブグループは異なるサブキャリアにおいて受信され、各ＣＤＭサブグループは前記第１のタイムスロットと前記第２のタイムスロットとによるリソースエレメントを含んでおり、
前記プロセッシング回路（１７１０、１７２０）は、
第３のＣＤＭサブグループに含まれている第３のセットのリソースエレメントと、第４のＣＤＭサブグループに含まれている第４のセットのリソースエレメントとを、前記第１のタイムスロットにおいて受信するように構成されているとともに（１５３０）、前記第３のＣＤＭサブグループ（７３０）は、２つのリソースブロックにわたって、前記第４のＣＤＭサブグループ（７４０）と同一の回数だけ繰り返されるものであり、
前記第３のセットのリソースエレメントと前記第４のセットのリソースエレメントとに直交カバーコードを適用して前記第２の基準信号を復号するように構成されており（１５４０）、前記第１のタイムスロットまたは前記第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とするユーザ装置。
【請求項２１】
基準信号を送信するように構成された無線ネットワークノード（１６００）であって、第１の基準信号は第１の符号分割多重（ＣＤＭ）グループにより送信され、第２の基準信号は第２の符号分割多重（ＣＤＭ）グループにより送信され、各ＣＤＭグループにはそれぞれ２つのＣＤＭサブグループが含まれており、各ＣＤＭサブグループはリソースエレメントを含んでおり、前記無線ネットワークノード（１６００）は、１つ以上のプロセッシング回路（１６１０、１６２０）を備えており、当該１つ以上のプロセッシング回路（１６１０、１６２０）は、
直交カバーコードを使用して、第１のタイムスロットと当該第１のタイムスロットに続く第２のタイムスロットとによるリソースエレメントを有する第１のＣＤＭサブグループにより前記第１の基準信号を送信するとともに、当該直交カバーコードの置換を使用して、前記第１のタイムスロットと前記第２のタイムスロットとによるリソースエレメントを有する第２のＣＤＭサブグループにより前記第１の基準信号を送信し、
前記直交カバーコードを使用して、前記第１のタイムスロットと前記第２のタイムスロットとによるリソースエレメントを有する第３のＣＤＭサブグループにより前記第２の基準信号を送信するとともに、当該直交カバーコードの置換を使用して、前記第１のタイムスロットと前記第２のタイムスロットとによるリソースエレメントを有する第４のＣＤＭサブグループにより前記第２の基準信号を送信する
ように構成されており、
前記１つ以上のプロセッシング回路（１６１０、１６２０）は、さらに、単一のリソースブロックにおけるピークパワーのランダム化を実現するように前記直交カバーコードの置換を選択するように構成されており、前記第１のＣＤＭサブグループ（５１０、７１０）は、２つのリソースブロックにわたって、前記第２のＣＤＭサブグループ（５２０、７２０）と同一の回数だけ繰り返され、前記第３のＣＤＭサブグループは、１つのリソースブロックにわたって、前記第４のＣＤＭサブグループと同一の回数だけ繰り返され、第１のタイムスロットまたは第２のタイムスロットにおける前記第１のＣＤＭサブグループと前記第３のＣＤＭサブグループの符号要素は、前記第１のタイムスロットおよび前記第２のタイムスロットにおける各ＣＤＭサブグループに含まれているすべての符号要素を含むように前記第３のＣＤＭサブグループ（７３０）において使用されている前記直交カバーコードが前記第１のＣＤＭサブグループ（７１０）において使用されている前記直交カバーコードと比較してシフトされていることを特徴とする無線ネットワークノード。
【発明の詳細な説明】
【技術分野】
【０００１】
本発明は、基準信号を送信するための方法および装置と、基準信号を復号するための方法および装置とに関する。
【背景技術】
【０００２】
第３世代パートナーシッププロジェクト（３ＧＰＰ）は、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）およびＬＴＥ（Ｌｏｎｇ  Ｔｅｒｍ  Ｅｖｏｌｕｔｉｏｎ）の標準化を担当している。ＬＴＥについての３ＧＰＰの作業は、Ｅ−ＵＴＲＡＮ（Ｅｖｏｌｖｅｄ  Ｕｎｉｖｅｒｓａｌ  Ｔｅｒｒｅｓｔｒｉａｌ  Ａｃｃｅｓｓ  Ｎｅｔｗｏｒｋ）とも呼ばれている。ＬＴＥは、ダウンリンクとアップリンクの両方において、高いデータレートを達成することができる高速パケット通信を実現する技術であり、ＵＭＴＳに対する次世代移動通信システムと考えられている。高いデータレートをサポートするために、ＬＴＥでは、最大２０ＭＨｚまでのシステム帯域幅が可能である。また、ＬＴＥは、異なる周波数帯で動作することもでき、少なくとも周波数分割複信（ＦＤＤ）方式および時分割複信（ＴＤＤ）方式で動作することができる。ＬＴＥで使用される変調技術または送信方法は、直交周波数分割多重（ＯＦＤＭ）として知られている。ＬＴＥの最高のリリースは、最高レート３００Ｍｂｐｓ、たとえば５ｍｓ以下の無線ネットワーク遅延、スペクトル効率の大幅な向上、ネットワークの運用を簡単にするように設計されたネットワークアーキテクチャ、コストの削減などをもたらすことが期待されている。
【０００３】
ＬＴＥの進化したものである、たとえばＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−Ａｄｖａｎｃｅｄおよび／またはＬＴＥ−Ａｄｖａｎｃｅｄなどの次世代移動通信システムに関しては、最大１００ＭＨｚの帯域幅のサポートが検討されている。ＬＴＥとＬＴＥ−Ａｄｖａｎｃｅｄの両方において、無線基地局は、ｅＮＢまたはｅＮｏｄｅＢとして知られており、ここで「ｅ」は、ｅｖｏｌｖｅｄ（進化）を表している。さらに、ユーザ装置（ＵＥ）に高いデータレートを提供するために、プリコーディング技術および／またはビーム形成技術を使用する複数のアンテナを使用することができる。したがって、ＬＴＥもＬＴＥ−Ａｄｖａｎｃｅｄも、ＭＩＭＯ（Ｍｕｌｔｉｐｌｅ−Ｉｎｐｕｔ，  Ｍｕｌｔｉｐｌｅ−Ｏｕｔｐｕｔ）無線システムの例である。ＭＩＭＯおよびＯＦＤＭベースのシステムの別の例は、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）である。ＬＴＥ−Ａｄｖａｎｃｅｄは、ＬＴＥの進化型であるので、ＬＴＥが既に占有しているスペクトルにＬＴＥ−Ａｄｖａｎｃｅｄを展開できるようにするためには、後方互換性が重要である。
【０００４】
３ＧＰＰリリース１０としても知られているＬＴＥ−Ａｄｖａｎｃｅｄにおいては、ＬＴＥ−Ａｄｖａｎｃｅｄの３００ｂｐｓ／Ｈｚのダウンリンクスペクトル効率を満足するために、最大８つのレイヤの伝送をサポートするはずである。これは、たとえば８つの送信アンテナおよび８つの受信アンテナを使用する８×８高次ＭＩＭＯなどの、ある種の高度なアンテナ装置を使用することにより達成することができる。本明細書を通して、述べていることが単一の物理アンテナに必ずしも対応していないことを強調するために、アンテナではなく「アンテナポート」という用語を使用する。
【０００５】
以下の開示についての背景を説明するために、ＬＴＥのダウンリンク物理リソース構造の簡単な概説を行う。ＬＴＥなどのＯＦＤＭシステムにおいては、利用可能な物理リソースは、時間と周波数からなるグリッドに分割されている。時間の次元は、サブフレームに分割され、それぞれのサブフレームは、いくつかのＯＦＤＭシンボルを備えている。ＬＴＥおよびＬＴＥ−Ａｄｖａｎｃｅｄでは、サブフレームは、長さが１ｍｓであり、それぞれが０．５ｍｓの２つのタイムスロットに分割されている。シンボル間干渉を減らすために、サイクリックプレフィックス（ＣＰ）と呼ばれるガードインターバルが、各ＯＦＤＭシンボルの先頭に付加されている。標準サイクリックプレフィックス（ＣＰ）長に関しては、サブフレーム当たりのＯＦＤＭシンボル数は１４であり、これは、１つのサブフレームの期間において、時間が１４のシンボルに量子化されていることを意味している。拡張サイクリックプレフィックス長に関しては、サブフレーム当たり１２のＯＦＤＭシンボルがある。周波数は、ＯＦＤＭシンボルのサブキャリアに対応し、サブキャリア数は、使用するシステム帯域幅に応じて変わる。時間−周波数グリッド内の各ボックスは、１シンボル期間における単一のサブキャリアを表し、リソース要素（リソースエレメント）と呼ばれる。リソースエレメントのスケジュール可能な最小単位は、物理リソースブロック（ＰＲＢ）または単にリソースブロック（ＲＢ）と呼ばれる。ＬＴＥおよびＬＴＥ−Ａｄｖａｎｃｅｄにおいては、リソースブロックは、１２のサブキャリアおよび０．５ｍｓに及び、すなわち、サイクリックプレフィックス長に応じて７または６のＯＦＤＭシンボルに及ぶ。しかし、リソースブロックは、時間領域において、ペアで割り当てられる。したがって、１ｍｓのＬＴＥサブフレームは、２つのリソースブロックの幅がある。
【０００６】
また、ダウンリンク・パイロット・タイムスロット（ＤｗＰＴＳ）、ガード期間（ＧＰ）、およびアップリンク・パイロット・タイムスロット（ＵｐＰＴＳ）の３つのフィールドから構成される、特殊なＬＴＥサブフレームもある。この特別なサブフレームは、ＴＤＤ方式におけるダウンリンクからアップリンクへの切り替えに使用される。ＧＰフィールドの期間は、ＵＥを受信から送信に切り替えるのにどのくらいかかるかに応じて、また基地局からＵＥまでの信号伝播時間に応じても変わる。ＤｗＰＴＳフィールドは、同期データおよびユーザデータに加えて、スケジューリング情報および制御情報を送信するダウンリンク制御チャネルも運ぶ。全体のサブフレーム期間は１ｍｓに固定されているので、ＤｗＰＴＳフィールドおよびＵｐＰＴＳフィールドの期間は、ＧＰフィールドの期間に基づいて調節される。
【０００７】
基準信号は、ＯＦＤＭの時間−周波数グリッドの所定の位置に挿入される既知の信号である。この既知の信号の存在により、ＵＥは、ダウンリンクチャネルを推定して、コヒーレントチャネル復調を実行することができる。ＬＴＥに関しては、チャネル復調のために、最大８つまでのＵＥ固有基準信号（ＲＳ）を使用することが合意されている。また、ＵＥ固有基準信号は、復調ＲＳまたはＤＭ−ＲＳとも呼ばれる。したがって、各アンテナポートは、１つのＤＭ−ＲＳを送信し、このＤＭ−ＲＳは、そのアンテナポートおよび送信が向けられているＵＥに固有である。
【０００８】
基準信号は、一般に、時間および周波数が予め定められているパターンにしたがって送信されるので、ＵＥは、基準信号をどこで見つけられるかを知っている。図１は、ランク８までをサポートし、標準サイクリックプレフィックス（ＣＰ）を有する従来技術のＤＭ−ＲＳパターンを示している。「ランク」または送信ランクという表現は、無線チャネルで確実に送信しうる独立のデータストリームの数または空間レイヤの数を指している。本明細書の説明では、ランクは、サポートされている送信アンテナポートの最大数と解釈されてもよい。
【０００９】
図１は、標準サブフレーム、すなわち特別ではないサブフレームの時間−周波数グリッドを示している。グリッドの各行はサブキャリアを表し、各列はＯＦＤＭシンボルを表している。最初の３つのＯＦＤＭシンボルは、これらのシンボルを制御シグナリング用に保留しておいてもよいことを示すために、明るい灰色で表示されている。グリッドは、上に説明したように、２つのＬＴＥタイムスロットに及んでいる。図１のＤＭ−ＲＳパターンは、合計８つのＤＭ−ＲＳアンテナポートをサポートしている。パターンは、レイヤ当たり１２個のリソースエレメント（ＲＥ）のＤＭ−ＲＳ用オーバヘッドを示している。すなわち、各アンテナポートは、基準信号を送信するために、サブフレーム当たり１２のＲＥを使用する。たとえば、１つのアンテナポートは、図１において斜線で埋められている１２個の正方形で表されているＲＥで、基準信号を送信する。８つのＤＭ−ＲＳ用アンテナポートは、ＣＤＭとＦＤＭの組み合わせによって分離される。これについては、以下でさらに説明する。他の種類の基準信号も送信されてもよいが、簡潔にするために、図１から除いていることを理解されたい。
【００１０】
ＤＭ−ＲＳ用に最大２つの符号分割多重（ＣＤＭ）グループが確保されており、各ＣＤＭグループは、物理リソースブロック（ＰＲＢ）のペア当たり１２個のリソースエレメント（ＲＥ）で構成されている。本明細書の説明では、ＣＤＭグループは、符号分割多重を使用して、いくつかのアンテナポートからの基準信号を多重するために使用されるリソースエレメントのグループである。したがって、図１の１２個の斜線の正方形は、１つのＣＤＭグループを形成し、１２個の横線の正方形は、別のＣＤＭグループを形成している。各ＣＤＭグループは、最大４つのレイヤ、すなわち最大４つのアンテナポートをサポートする。２つのＣＤＭグループは、ＦＤＭで多重化される、言い換えると、第１および第２のＣＤＭグループに属するＲＥは、異なる周波数、すなわち異なるサブキャリアで送信される。
【００１１】
図１の黒の太枠１１０、１２０で示すように、各タイムスロットに１つのＣＤＭクラスタがある。
【００１２】
さらに、各ＣＤＭグループは、ＣＤＭサブグループ、すなわち同じサブキャリアを共有するリソースエレメントのグループを３つ備えている。たとえば、図１の時間−周波数グリッドの最上行にある４個の斜線の正方形は、灰色の太枠１３０で示すように、１つのＣＤＭサブグループを形成している。灰色の太枠１４０および１５０は、さらに２つのサブグループを示している。各ＣＤＭサブグループは、時間領域に４つのＲＥを備え、各ＣＤＭサブグループには、最大４つのＤＭ−ＲＳアンテナポートを多重化することができる。
【００１３】
ＣＤＭサブグループ内の基準信号の多重化は、時間領域にわたって直交カバーコード（ＯＣＣ）を適用することによって達成される。ＯＣＣは、全ての符号の相互相関がゼロの符号のセットである。したがって、セットの中の２つの異なる符号を使用して符号化された２つの信号は、互いに干渉しない。ＯＣＣの一例は、ウォルシュ符号である。ウォルシュ符号は、長さＮ、すなわちＮ列のウォルシュ行列を用いて定義される。ウォルシュ行列の各行は、長さがＮの１つのウォルシュ符号である。たとえば、長さが４のウォルシュ行列は次のようになる。
【００１４】
【数１】
0005992067.tif 000002
【００１５】
この行列の各行は、長さが４である１つの符号を形成している。すなわち、符号は、［１，１，１，１］、［１，−１，１，−１］、［１，１，−１，−１］、［１，−１，−１，１］である。これらの４つの符号は、全て、互いに直交している。各符号の個別の「１」および「−１」は、以下では「符号要素」と呼ぶ。
【００１６】
本発明を例示するために、本明細書を通してウォルシュ符号を使用するが、当然のことながら、任意のＯＣＣを使用してもよい。本明細書において、「直交カバーコードを適用する」または「直交カバーコードを使用して信号を送信する」と述べるとき、相互に直交する符号のセットの中の１つの符号、たとえばウォルシュ行列からの１行を指していると理解されるべきである。
【００１７】
各アンテナポートは、信号に直交カバーコードを適用することにより、ＣＤＭサブグループ内で１つの基準信号を送信する。ＣＤＭサブグループ内で４つのアンテナポートが多重化される場合、長さが４のＯＣＣが使用され、４つのアンテナポートのそれぞれは、セットの中の異なる符号を使用する。こうすることにより、受信側において、基準信号を分離および復号することができる。
【００１８】
ｅＮｏｄｅＢ側の電力利用を改善することが期待されている全面的なピーク電力ランダム化を達成することを目的に、ＯＣＣマッピングのコンセプトが、二重レイヤビーム形成に関して導入されている。ＯＣＣマッピングは、各ＯＣＣの符号要素を特定のパターンまたは特定の順序で、基準要素にマッピングすることを意味している。図２は、長さ２のウォルシュ符号を使用するＯＣＣマッピングのひな型の一例を示している。図２の右下の隅は、長さ２のウォルシュ行列を示している。長さ２の符号が使用されているので、この例では、各ＣＤＭサブグループにおいて、２つのアンテナポートが多重化されている。各アンテナポートは、第１のタイムスロットにおいて１つ、第２のタイムスロットにおいて１つの、合計で２つの基準信号を送信する。レイヤ１すなわち第１のアンテナポートは、ウォルシュ行列の第１の行の符号、すなわち［＋１，＋１］を使用する。レイヤ２すなわち第２のアンテナポートは、第２の行の符号［＋１，−１］を使用する。インデックスａは、各符号の第１の符号要素に相当し、インデックスｂは、第２の符号要素に相当する。したがって、第２の符号［＋１，−１］においては、インデックスａは、＋１に相当し、ｂは−１に相当する。各アンテナポートは、図２の時間−周波数グリッドのａおよびｂのパターンが示す順序で符号要素を適用することによって、その基準信号を符号化する。
【００１９】
符号化プロセスを説明するために、例示が役立つであろう。第１のＣＤＭサブグループ２１０に焦点を当てると、第１のアンテナポートは、このＣＤＭサブグループでＸ１およびＸ２で表されている２つの基準信号を送信する。また、第２のアンテナポートも、同じＣＤＭサブグループ２１０でＹ１およびＹ２で表されている２つの基準信号を送信する。第１のアンテナポートは、第１のウォルシュ符号を使用するので、［＋１，＋１］に相当する符号要素［ａ，ｂ］を適用して、ＯＦＤＭシンボル６および７の中のその第１の基準信号Ｘ１を符号化する。また、第２のアンテナポートも、ＯＦＤＭシンボル６および７の中の、Ｙ１で表されているその第１の基準信号を符号化する。第２のアンテナポートは、第２のウォルシュ符号すなわち［＋１，−１］の符号要素［ａ，ｂ］を適用する。したがって、第２のアンテナポートは、［Ｙ１，−Ｙ１］を送信する。これらの信号は重ね合わされるので、ＯＦＤＭシンボル６および７で送信された結果として、信号［Ｘ１＋Ｙ１，Ｘ１−Ｙ１］が生じる。
【００２０】
しかし、第２のＣＤＭサブグループ２２０、すなわち時間−周波数グリッドの第６の行においては、２つのアンテナポートは、符号要素を逆の順序で適用して、それらの基準信号を符号化する。ＯＦＤＭシンボル６および７に再び焦点を当てると、第１のアンテナポートは、符号［＋１，＋１］すなわち［Ｘ１，Ｘ１］を使用する。この場合、符号要素を逆にしても差を生じないので、実効的に同じ符号を再び使用する。しかし、第２のアンテナポートは、符号［−１，＋１］すなわち［−Ｙ１，Ｙ１］を使用する。したがって、第２のＣＤＭサブグループ２２０内のＯＦＤＭシンボル６および７で送信された結果として、信号［Ｘ１−Ｙ１，Ｘ１＋Ｙ１］が生じる。
【００２１】
全てを網羅するために指摘すると、各アンテナポートは、ＯＦＤＭシンボル１３および１４で、それぞれＸ２およびＹ２で表されている第２の基準信号も送信する。符号パターンは、前の例と同じであり、ＯＦＤＭシンボル１３および１４で送信された結果として生じる信号は、同じように得られるであろう。
【００２２】
この例では、ＣＤＭグループ１だけが割り当てられていることが指摘される。また、マッピングパターンは、偶数のＰＲＢと奇数のＰＲＢでは異なる。２つの隣接ＰＲＢの間で、全面的なピーク電力ランダム化を達成することができる。この理由を理解するために、基準信号Ｘ１とＹ１が同じ、すなわちＸ１＝Ｘ２である特別の場合を考慮する。上と同じ例を使用すると、第１のＣＤＭサブグループ２１０のシンボル６および７で送信される信号は、［Ｘ１＋Ｘ１，Ｘ１−Ｘ１］すなわち［２Ｘ１，０］である。第２のＣＤＭサブグループ２２０において結果として生じる信号は、［Ｘ１−Ｘ１，Ｘ１＋Ｘ１］すなわち［０，２Ｘ１］である。したがって、ＯＦＤＭシンボル６においては、第１のＣＤＭサブグループ２１０で信号２Ｘ１が送信され、第２のＣＤＭサブグループ２２０で０が送信される。ＯＦＤＭシンボル７においては、状況は逆である。すなわち、第１のＣＤＭサブグループ２１０で０、第２のＣＤＭサブグループ２２０で２Ｘ１である。これは、合計の送信電力レベルが、ＯＦＤＭシンボル６とシンボル７でほぼ同じことを意味している。言い換えると、送信電力レベルは、ＯＦＤＭシンボル間で均衡が保たれており、シンボル間の送信電力レベルの高いピークを避けることができることを意味している。
【００２３】
上述のように、直交カバーコードを使用することにより、受信機は、チャネルを推定するために、基準信号を復号することができるようになる。したがって、ＵＥ側において、適切なＯＣＣを使用して、ポートチャネルごとの推定が行われる。言い換えると、信号を符号化するために使用されたのと同じＯＣＣを使用して、各基準信号が復号または逆拡散される。１つのＣＤＭグループにおいていくつのレイヤが多重されているかに応じて、異なる長さのＯＣＣが、チャネル推定に適用される。以下、２つのレイヤと４つのレイヤの２つの事例について、それぞれ図３（ａ）および図３（ｂ）を参照して説明する。
・１つのＣＤＭグループにおいて最大２つのレイヤが多重されるとき、図３（ａ）に示すように、両方のスロットの各ＣＤＭクラスタ３４０、３５０で長さ２のＯＣＣが使用されてもよい。これは、２つのＣＤＭクラスタを重み付けすることによって、移動性によって持ち込まれるドップラ効果をうまく捉えることができることを意味している。
・１つのＣＤＭグループにおいて２つを超えるレイヤが多重されるとき、図３（ｂ）に示すように、１つのサブフレームの両方のクラスタにわたって、長さ４のＯＣＣが使用される必要がある。長さ４のＯＣＣは、通常、ランクが高い場合、すなわちアンテナポートが４つ以上の場合に使用される。
【００２４】
ＵＥ側においてＤＭ−ＲＳベースのチャネル推定を行う１つの一般的な方策は、ＰＲＢ当たり２×１Ｄフィルタ法、すなわち、まず周波数領域フィルタ、次いで時間領域フィルタを適用することである。図４は、基本原理を示している。周波数領域フィルタリングおよび時間領域フィルタリングが、遅延スプレッド、ドップラ、およびＳＮＲのそれぞれの入力に基づいて行われる。リソース割り当ておよび帯域幅が不確定なことから、周波数領域フィルタは、時間領域フィルタよりはるかに長い処理時間を必要とすることが分かっている。周波数領域フィルタで必要な時間は、ある程度は、チャネル推定およびそれに続く検出の迅速な処理を妨げるボトルネックになっている。
【００２５】
図３（ａ）に示す長さ２のＯＣＣを使用するチャネル推定を行うとき、発明者たちは、スロットごとのチャネル推定を有効に行うことができることに注目している。すなわち、第１のスロットのチャネル推定は、サブフレームを全部受信する前に、まず行うことができる。この理由は、基準信号が、同じタイムスロットに含まれる２つの連続するＲＥで送信されるからである。言い換えると、基準信号を復号するために必要な全ての情報が、単一のタイムスロット内で入手可能である。これにより、第１のスロットで受信された情報を、第２のスロットが受信されている時間中に処理することができるので、第１のスロットについて周波数領域フィルタで要する処理時間を短縮することができる。これは、低遅延チャネル推定器をもたらすであろう。
【００２６】
しかし、３ＧＰＰのリリース１０においては、上に説明したように、各ＣＤＭグループにおいて最大４つのレイヤの多重化をサポートするために、長さ４のＯＣＣが使用される。長さ４のＯＣＣを使用してチャネル推定を行うときは、図３（ｂ）に示すように、長さ２のＯＣＣに代わって長さ４のＯＣＣが使用される。しかし、長さ４のＯＣＣの逆拡散は、サブフレームを全部受信するまで行うことができない。この理由は、各基準信号が、２つの時間スロットにわたって配置されている、４つのＲＥに分散しているからである（図１参照）。したがって、従来のスキームでは、両方のタイムスロットが受信されるまで、チャネル推定を行うことができない。これは、第１のスロットの処理を第２のスロットの受信と並行して行うことができず、特に周波数領域フィルタで追加の時間が必要になることを意味している。そのため、長さ４のＯＣＣの場合は、長さ２のＯＣＣで可能なスロットごとのチャネル推定を行えないので、チャネル推定を行うとき、遅延がより大きくなる恐れがある。さらに、長さ４のＯＣＣの場合は、符号の逆拡散を両方のスロットで考慮する必要があるので、ドップラ効果をうまく克服することができない。
【００２７】
さらに、図２に示すＯＣＣマッピングパターンは、上述のように、２つのＲＢにわたって全面的なピーク電力ランダム化を達成するものの、標準サイクリックプレフィックス（ＣＰ）長に関してだけである。したがって、拡張ＣＰの場合にも全面的なピーク電力ランダム化を可能にする機構、および／またはＤｗＰＴＳフィールド（ダウンリンク・パイロット・タイムスロット）を備える特別なサブフレームが必要である。
【発明の概要】
【００２８】
本発明のいくつかの実施形態の１つの目的は、チャネル推定を行うときの遅延を短縮する機構を提供することである。
【００２９】
いくつかの実施形態の別の目的は、拡張ＣＰの場合に全面的なピーク電力ランダム化を可能にする機構、および／またはＤｗＰＴＳフィールド（ダウンリンク・パイロット・タイムスロット）を備える特別なサブフレームを提供することである。
【００３０】
本発明のいくつかの実施形態においては、目的は、３ＧＰＰのリリース９に定められているパターンなどの従来技術のマッピングパターンとの後方互換性を本質的に維持するとともに、スロットごとの処理を可能にするＰＲＢごとの２Ｄ直交性を提供する、長さ２のＯＣＣマッピングを簡単に拡張した、標準サイクリックプレフィックス（ＣＰ）用の低複雑度の長さ４のＯＣＣマッピングパターンを提供することによって達成される。
【００３１】
さらに、いくつかの実施形態は、３ＧＰＰリリース９に適用されるのと同じ機構を再使用することによって、一方では、ＰＲＢ内で全面的なピーク電力ランダム化を達成することができ、他方では、ＰＲＢごとの２Ｄ直交特性を維持する、拡張ＣＰ用の低複雑度の長さ２のＯＣＣマッピングパターンを提供する。
【００３２】
本発明のいくつかの実施形態は、標準ＣＰおよび拡張ＣＰの両方に関して、ＯＣＣマッピングを提供するが、標準ＣＰに関しては、長さ４のＯＣＣマッピングを提案し、拡張ＣＰに関しては、長さ２のＯＣＣマッピングを提案している。
【００３３】
いくつかの実施形態は、無線ネットワークノードにおいて、アンテナポートから基準信号を送信する方法を提供し、この基準信号は、符号分割多重グループ、すなわちＣＤＭグループで送信される。ＣＤＭグループは、少なくとも２つのＣＤＭサブグループを備え、各ＣＤＭサブグループは、異なるサブキャリアで送信される。各ＣＤＭサブグループは、リソースエレメントを備えている。第１のステップにおいて、無線ネットワークノードは、直交カバーコードを使用して、第１のＣＤＭサブグループで基準信号を送信する。第１のＣＤＭサブグループは、第１のタイムスロットと次のタイムスロットにリソースエレメントを備えている。次のステップにおいて、無線ネットワークノードは、置換した直交カバーコードを使用して、第２のＣＤＭサブグループで基準信号を送信する。第２のＣＤＭサブグループは、第１のタイムスロットおよび第２のタイムスロットにリソースエレメントを備えている。直交カバーコードの置換は、第１のタイムスロットに含まれるＣＤＭグループのリソースエレメントだけに直交カバーコードを適用することで、周波数領域において基準信号の復号が可能になるように選択される。
【００３４】
いくつかの実施形態は、ユーザ装置において、符号分割多重グループ、すなわちＣＤＭグループで受信される基準信号を復号する方法を提供する。このＣＤＭグループは、少なくとも２つのＣＤＭサブグループを備え、各ＣＤＭサブグループは、異なるサブキャリアで受信される。各ＣＤＭサブグループは、第１のタイムスロットと次のタイムスロットにリソースエレメントを備えている。第１のステップにおいて、ＵＥは、第１のタイムスロットにおいて、第１のＣＤＭサブグループに含まれる第１のリソースエレメントセット、および第２のＣＤＭサブグループに含まれる第２のリソースエレメントセットを受信する。ＵＥは、第１および第２のリソースエレメントセットに直交カバーコードを適用して、基準信号を復号する。
【００３５】
いくつかの実施形態は、無線ネットワークノードにおいて、基準信号を送信する方法を提供する。ここで、第１の基準信号は、第１の符号分割多重グループ、すなわち第１のＣＤＭグループで送信され、第２の基準信号は、第２のＣＤＭグループで送信される。各ＣＤＭグループは、少なくとも２つのＣＤＭサブグループを備え、各ＣＤＭサブグループは、リソースエレメントを備えている。無線ネットワークノードは、直交カバーコードを使用して第１のＣＤＭサブグループで、および置換した直交カバーコードを使用して第２のＣＤＭサブグループで、第１の基準信号を送信する。さらに、無線ネットワークノードは、直交カバーコードを使用して第３のＣＤＭサブグループで、および置換した直交カバーコードを使用して第４のＣＤＭサブグループで、第２の基準信号を送信する。直交カバーコードの置換は、単一のリソースブロック内でピーク電力のランダム化を可能にするように選択される。
【００３６】
本発明の特定の実施形態においては、直交カバーコードは、異なるＣＤＭサブグループとの間で置換される。符号を置換することによって、すなわち符号要素の順序を変更することによって、各符号要素は、単一のサブフレーム内で、特定の基準信号に少なくとも１度は確実に適用される。これは、第１のサブフレームにおいて、ＵＥが基準信号を復号できるのに十分な情報を受信することを意味している。時間領域の代わりに、または時間領域に加えて、周波数領域でＯＣＣを適用することによってそのようにしてもよい。したがって、スロットごとの処理を可能にするために、ＰＲＢごとの２Ｄ直交性が、有効に使用されてもよい。
【００３７】
少なくともいくつかの実施形態のさらなる利点は、実施の複雑度が小さいことである。これは、既存の長さ２のＯＣＣマッピングの拡張または再使用である基準信号パターンを使用することによる。
【００３８】
いくつかの実施形態のまた別の利点は、３ＧＰＰのリリース９のマッピングパターンとの後方互換性が、標準ＣＰの場合に維持されることである。
【００３９】
別の利点は、直交カバーコードをシフトおよび／または置換することによって、ピーク電力のランダム化を、全面的または部分的に達成できることである。いくつかの特定の実施形態は、全面的なピーク電力ランダム化を２つのＰＲＢを通して達成する。他の実施形態は、単一のＰＲＢ内でピーク電力ランダム化を行う。
【図面の簡単な説明】
【００４０】
【図１】基準信号のパターンを示す説明図である。
【図２】基準信号のパターンを示す説明図である。
【図３】基準信号のパターンを示す説明図である。
【図４】チャネル推定手順の一部を示す図である。
【図５】基準信号のパターンを示す説明図である。
【図６】方法例を示すフロー図である。
【図７】基準信号のパターンを示す説明図である。
【図８】方法例を示すフロー図である。
【図８ａ】異なる方法間の性能の比較を示す図である。
【図９】基準信号のパターンを示す説明図である。
【図１０】方法例を示すフロー図である。
【図１１】基準信号のパターンを示す説明図である。
【図１２】基準信号のパターンを示す説明図である。
【図１３】方法例を示すフロー図である。
【図１４】基準信号のパターンを示す説明図である。
【図１５】方法例を示すフロー図である。
【図１６】無線ネットワークノード例を示す略ブロック図である。
【図１７】ユーザ装置例を示す略ブロック図である。
【発明を実施するための形態】
【００４１】
本発明を例示するために、本明細書では３ＧＰＰのＬＴＥの用語を使用しているが、本発明の範囲を前述のシステムだけに限定していると見なすべきでないことに注意すべきである。ＷｉＭＡＸなどの他の無線システムも、本明細書内で取り扱っている着想を利用することで益をうるであろう。
【００４２】
ＯＣＣの設計においては、一般に、後方互換性、２Ｄ直交特性、およびピーク電力ランダム化の３つの基準が適用される。これらの基準の１つ以上は、以下の実施形態の少なくとも一部で満足されるであろう。
【００４３】
上に説明したように、各ＣＤＭグループにおいて最大４つのレイヤすなわちアンテナポートの多重化をサポートするために、長さ４のＯＣＣを使用することができる。２つのＣＤＭグループを使用する場合、合計で最大８つのアンテナポート、すなわち各ＣＤＭグループでアンテナポートを４つずつサポートすることができる。しかし、長さが４のＯＣＣを使用すると、２つのタイムスロットの４つのリソースエレメントにわたって、各基準信号を分散させることになる。これは、ＵＥが基準信号の復号を開始することができるようになるのに、第２のタイムスロットを待たなければならなくするので、検出遅延を増加させることになる。
【００４４】
いくつかの実施形態においては、修正ＯＣＣマッピングパターンを利用することにより、遅延を短縮することができる。このマッピングパターンは、単一のＣＤＭサブグループ内の時間領域においてＯＣＣを適用する代わりに、またはそれに加えて、２つ以上のＣＤＭサブグループの周波数領域において直交カバーコードを適用することで、第１のタイムスロットの情報に基づいて基準信号を復号できるようにするものである。
【００４５】
以下、いくつかの実施形態による、無線ネットワークノードにおいて基準信号を送信する方法について、図５および図６を参照して説明する。図５は、ＯＣＣマッピングのパターンを示す時間−周波数グリッドであり、ＯＣＣマッピングによって、周波数領域の２つの近隣のＣＤＭサブグループに、長さ４のＯＣＣが構築されている。グリッドのａ、ｂ、ｃ、ｄの文字は、図２に関して上述の例と同様に、ウォルシュ符号の異なる符号要素に相当する。時間−周波数グリッドの右に、長さ４のウォルシュ行列が表示されている。この例では、長さ４の符号が使用されているので、異なる符号要素を表すためには、４つの文字が必要である。たとえば、第２のアンテナポートは、その基準信号を符号化するために、行列の第２の行［１，−１，１，−１］のウォルシュ符号を使用するであろう。そして、文字ａ、ｂ、ｃ、ｄは、この行の異なる符号要素、すなわち、ａ＝１、ｂ＝−１、ｃ＝１、ｄ＝−１に相当する。第３のアンテナポートは、第３の行［１，１，−１，−１］の符号、すなわち、ａ＝１、ｂ＝１、ｃ＝−１、ｄ＝−１を使用するであろう。
【００４６】
図６は、図５のパターンにしたがって、基準信号を送信するための方法例のステップを示すフロー図である。方法のステップについて、単一のアンテナポートの視点から説明する。しかし、上述のように、各基準信号に異なる直交カバーコードを適用することによって、最大４つのアンテナポートからの信号を、各ＣＤＭサブグループ内で多重化することができることが指摘されている。したがって、当然のことながら、最大３つのさらなるアンテナポートが、同時に次の方法ステップを行ってもよい。しかし、各アンテナポートは、それ自体に固有の特定の基準信号およびＯＣＣを使用する。
【００４７】
したがって、この実施形態においては、無線ネットワークノードは、３つのＣＤＭサブグループを備えるＣＤＭグループで、基準信号を送信する。各ＣＤＭサブグループは、異なるサブキャリアで送信される。図５では、グリッドの最上行、すなわち第１のサブキャリアのａ、ｂ、ｃ、ｄと記されている４個の正方形が、１つのＣＤＭサブグループ５１０を形成している。第６の行の対応する４個の正方形が、第２のＣＤＭサブグループ５２０を形成し、第１２のグループの４個の正方形が、第３のＣＤＭサブグループを形成している。しかし、当然のことながら、基準信号を送信するためには、２から利用可能なサブキャリア数までの任意の数のＣＤＭサブグループを使用してもよい。各ＣＤＭサブグループは、４つのリソースエレメントを備えている。
【００４８】
ここで図６を参照すると、第１のステップ６１０では、無線ネットワークノードは、直交カバーコードを使用して、第１のＣＤＭサブグループ５１０で基準信号を送信する。第１のサブキャリア、すなわち図５のグリッドの最上行で送信される第１のＣＤＭサブグループ５１０は、第１のタイムスロットと次のタイムスロットにリソースエレメントを備えている。図５から分かるように、ａおよびｂと記されているＲＥは、第１のタイムスロットに含まれており、ｃおよびｄと記されているＲＥは、第２のタイムスロットに含まれている。
【００４９】
特定の実施形態においては、ＯＣＣは、長さが４のウォルシュ符号である。特定の例として、第３のアンテナポートからの送信を考慮する。第３のアンテナポートは、第１のＣＤＭサブグループ５１０で、Ｚ１で表される基準信号を送信する。符号［１，１，−１，−１］が使用され、符号要素は、ａ、ｂ、ｃ、ｄの順すなわち１、１、−１、−１の順に適用される。したがって、第１のＣＤＭサブグループ５１０で、第３のアンテナポートから送信される信号は、［Ｚ１，Ｚ１，−Ｚ１，−Ｚ１］である。
【００５０】
次いで、ステップ６２０では、無線ネットワークノードは、第２のＣＤＭサブグループ５２０で、基準信号を送信する。第２のＣＤＭサブグループ５２０も、第１のタイムスロットおよび第２のタイムスロットにリソースエレメントを備えている。図５では、第２のＣＤＭサブグループ５２０は、第６のサブキャリアすなわち第６の行のｄ、ｃ、ｂ、ａと記されているＲＥに相当する。第１のＣＤＭサブグループ５１０で送信されるのと同じ基準信号が、第２のＣＤＭサブグループ５２０で送信される、すなわち、上記と同じ特定の例を使用して、第３のアンテナポートは、基準信号Ｚ１を送信する。しかし、第２のＣＤＭサブグループ５２０では、基準信号は、置換した直交カバーコードを使用して送信される。すなわち、第１のＣＤＭサブグループ５１０と、第２のＣＤＭサブグループ５２０では、ＯＣＣの符号要素は、異なる順序で適用される。直交カバーコードの置換は、第１のタイムスロットに含まれるＣＤＭグループのリソースエレメントだけに直交カバーコードを適用することで、周波数領域において基準信号の復号が可能になるように選択される。
【００５１】
これが可能な理由を理解するために、次のことを考慮する。第１のＣＤＭサブグループ５１０では、符号要素ａおよびｂが第１のタイムスロットで適用されている。しかし、第２のＣＤＭサブグループ５２０では、ＯＣＣの置換のせいで、符号要素ｄおよびｃが第１のタイムスロットで適用されている。この意味することは、ＯＣＣの４つの要素の全てである、ａ、ｂ、ｃ、ｄを使用して符号化された信号が、第１のタイムスロット内で受信されるということである。したがって、ＵＥは、第１のＣＤＭサブグループ５１０からのａおよびｂと、第２のＣＤＭサブグループ５２０からのｃおよびｄとを組み合わせることで、ＲＳを復号するために必要な全ての情報を受信している。
【００５２】
第３のアンテナポートの特定の例に戻ると、第２のＣＤＭサブグループ５２０では、第３のアンテナポートは、置換した直交カバーコードｄ、ｃ、ｂ、ａすなわち−１、−１、１、１を使用して、基準信号Ｚ１を送信する。したがって、第２のＣＤＭサブグループ５２０で送信される信号は、［−Ｚ１，−Ｚ１，Ｚ１，Ｚ１］である。ここで、第１のＣＤＭサブグループ５１０では、送信された信号が［Ｚ１，Ｚ１，−Ｚ１，−Ｚ１］だったことを思い出されたい。それ故、第１のＣＤＭサブグループ５１０の最後の２つの要素は、第２のＣＤＭサブグループ５２０の最初の２つの要素に等しい。したがって、第１のタイムスロットにおいて、ＵＥは、第１のＣＤＭサブグループ５１０で［Ｚ１，Ｚ１］を、第２のＣＤＭサブグループ５２０で［−Ｚ１，−Ｚ１］を受信する。第１のタイムスロットの第１および第２のＣＤＭサブグループからの信号を組み合わせることで、受信ＵＥは、［Ｚ１，Ｚ１，−Ｚ１，−Ｚ１］を取得する。これは、両方のタイムスロットにわたって、第１のＣＤＭサブグループ５１０で送信されるのと同じ信号である。したがって、ＵＥは、第２のタイムスロットをまだ受信していないが、今や基準信号Ｚ１を復号することができる。
【００５３】
したがって、この例のＯＣＣの置換により、基準信号のスロットごとの復号が可能になる。別の言い方をすると、長さ４のＯＣＣの符号の逆拡散は、各スロット内で処理することができる。これは、スロットごとのチャネル推定を可能にする。上に説明したように、この実施形態では、長さ４のＯＣＣの符号の逆拡散は、もはや時間領域で処理されないで、たとえば２つの近隣のＣＤＭサブグループなどの２つのＣＤＭサブグループにおいて、周波数領域で処理される。しかし、必要に応じて、周波数領域に加えて、時間領域において符号の逆拡散を行うことは依然として可能である。
【００５４】
この実施形態の代替形態では、置換は、第１のＣＤＭサブグループ５１０の第２のタイムスロットのＲＥに適用された符号要素を、第２のＣＤＭサブグループ５２０の第１のタイムスロットのＲＥに適用すること、およびその逆を備えている。すなわち、第１のＣＤＭサブグループ５１０において、要素ａおよびｂが第１のタイムスロットで適用され、ｃおよびｄが第２のタイムスロットで適用された場合、第２のＣＤＭサブグループ５２０においては、要素ａおよびｂは、第２のタイムスロットで適用され、ｃおよびｄは、第１のタイムスロットで適用される。
【００５５】
別の代替形態においては、置換は、第２のＣＤＭサブグループ５２０において逆の順序で符号要素を適用することを備える。すなわち、第１のＣＤＭサブグループ５１０において順序ａ、ｂ、ｃ、ｄが使用された場合、第２のＣＤＭサブグループ５２０では、逆の順序ｄ、ｃ、ｂ、ａが使用される。
【００５６】
以下、いくつかの実施形態による、無線ネットワークノードおいて基準信号を送信する別の方法について、図７に示すパターンおよび図８のフロー図を参照して説明する。
【００５７】
図７に示すＯＣＣマッピングでは、２つのＣＤＭグループに対して同じパターンが使用されている。前の例と同様に、ＯＣＣの割り当てに長さ４のウォルシュ符号が使用されている。第１のＣＤＭグループのパターン、すなわち第１のＲＢのサブキャリア１、６、１１は、前の例と同じである。しかし、この例では、第１のＲＢのサブキャリア２、７、１２を備える第２のＣＤＭグループも使用されている。したがって、この例では、第１のＣＤＭグループで４つ、および第２のＣＤＭグループで４つの、最大８つのアンテナポートをサポートすることができる。各アンテナポートは、各ＣＤＭサブグループで１つの基準信号を送信し、基準信号は、長さ４のウォルシュ符号を使用して、時間領域で４つのＲＥにわたって分散されている。
【００５８】
ここで図８を参照すると、第１のステップ８１０では、無線ネットワークノードは、直交カバーコードを使用して、第１のＣＤＭサブグループ７１０で基準信号を送信する。第１のサブキャリアで送信される第１のＣＤＭサブグループ７１０、すなわち図７のグリッドの最上行は、第１のタイムスロットと次のタイムスロットに、リソースエレメントを備えている。図７から分かるように、ａおよびｂと記されているＲＥは、第１のタイムスロットで送信され、ｃおよびｄと記されているＲＥは、第２のタイムスロットで送信されている。
【００５９】
ステップ８２０では、無線ネットワークノードは、同様に第１のタイムスロットおよび第２のタイムスロットにリソースエレメントを備える第２のＣＤＭサブグループ７２０で、基準信号を送信する。図７においては、第２のＣＤＭサブグループ７２０は、ｄ、ｃ、ｂ、ａと記されている第６のサブキャリア、すなわち第６の行のＲＥに相当する。第１のＣＤＭサブグループ７１０で送信されるのと同じ基準信号が、第２のＣＤＭサブグループ７２０で送信される。しかし、第２のＣＤＭサブグループ７２０では、置換した直交カバーコードを使用して送信される。すなわち、ＯＣＣの符号要素は、第２のＣＤＭサブグループ７２０では、第１のＣＤＭサブグループ７１０とは異なる順序で適用される。直交カバーコードの置換は、第１のタイムスロットに含まれるＣＤＭグループのリソースエレメントだけに直交カバーコードを適用することで、周波数領域において基準信号の復号が可能になるように選択される。
【００６０】
さらに、方法は、第２のＣＤＭグループで、第２のアンテナポートから第２の基準信号を送信することを備える。この第２のＣＤＭグループは、少なくとも２つのＣＤＭサブグループを備え、各ＣＤＭサブグループは、異なるサブキャリアで送信される。各ＣＤＭサブグループは、４つのリソースエレメントを備えている。第２の基準信号の送信は、さらなるステップ８３０を備え、そこでは、ネットワークノードは、第１のＣＤＭサブグループ７１０で第１のＲＳに適用されたのと同じ直交カバーコードを使用して、たとえば第２のキャリアなどの第３のＣＤＭサブグループ７３０で第２の基準信号を送信する。この第３のＣＤＭサブグループ７３０は、第１のタイムスロットと次のタイムスロットにリソースエレメントを備えている。
【００６１】
第２の基準信号の送信は、さらにステップ８４０を備えており、そこでは、ネットワークノードは、第２のＣＤＭサブグループ７２０で第１のＲＳに適用されたのと同じ、置換した直交カバーコードを使用して、たとえば第７のサブキャリアなどの第４のＣＤＭサブグループ７４０で第２の基準信号を送信する。第４のＣＤＭサブグループ７４０は、第１のタイムスロットと次のタイムスロットにリソースエレメントを備えている。
【００６２】
この実施形態の１つの代替形態においては、置換は、第１のＣＤＭサブグループ７１０の第２のタイムスロットでＲＥに適用された符号要素を、第２のＣＤＭサブグループ７２０の第１のタイムスロットでＲＥに適用すること、およびその逆に適用することを備える。すなわち、第１のＣＤＭサブグループにおいて、要素ａおよびｂが第１のタイムスロットで適用され、ｃおよびｄが第２のタイムスロットで適用された場合、第２のＣＤＭサブグループ７２０においては、要素ａおよびｂは、第２のタイムスロットで適用され、ｃおよびｄは、第１のタイムスロットで適用される。
【００６３】
別の代替形態においては、置換は、第２のＣＤＭサブグループ７２０において、逆の順序で符号要素を適用することを備える。すなわち、第１のＣＤＭサブグループ７１０において、順序ａ、ｂ、ｃ、ｄが使用された場合、第２のＣＤＭサブグループ７２０では、逆の順序ｄ、ｃ、ｂ、ａが使用される。
【００６４】
代替形態においては、第１のＣＤＭサブグループ（７１０）は、２つのリソースブロックを通して、第２のＣＤＭサブグループ（７２０）と同じ回数繰り返される。たとえば、図７に示すパターンでは、第１のＣＤＭサブグループ（７１０）は、２つのリソースブロックを通して３回送信され、第２のＣＤＭサブグループ（７２０）も、３回送信される。こうして、ピーク電力のランダム化が、２つの連続するＰＲＢを通して達成される。この代替形態は、ＣＤＭグループが１つだけ使用されている、図５および６に関連して上述したパターンにも適用しうることが指摘される。
【００６５】
さらにいくつかの実施形態においては、第３のＣＤＭサブグループ（７３０）は、２つのリソースブロックを通して、第４のＣＤＭサブグループ（７４０）と同じ回数繰り返される。これは、上述の代替形態と同じように、ピーク電力ランダム化をさらに改善する。
【００６６】
上に説明したように、この例では、両方のＣＤＭグループにおいて同じパターンが使用されており、複雑度の小さい実施を提供している。この実施形態の他の主要な特徴は、次のとおりである。
−既存の長さ２のＯＣＣマッピングの簡単な拡張を行う複雑度の小さい実施。すなわち、ランク１〜２の場合、すなわち、ｃおよびｄがそれぞれａおよびｂに等しいとき、パターンは、従来技術の長さ２のＯＣＣマッピングと同じである。また、これは、ＣＤＭグループ１において２つのレイヤだけが割り当てられるとき、長さ２のＯＣＣマッピングパターンと後方互換性があることも意味している。
−各ＣＤＭグループは、上述のように、スロットごとの処理を可能にするＰＲＢごとの２Ｄ直交性を提供することができる。
−部分的なピーク電力ランダム化を達成することができる。本例においては、ピーク電力ランダム化は、２つの連続するＰＲＢを通して達成される。
−パターンは、ＤｗＰＴＳのＤＭ−ＲＳパターンにも適用可能である。
【００６７】
図８ａのダイアグラムは、周波数領域において逆拡散を行う本例の方法と、時間領域において逆拡散を行う従来技術の方法との性能の比較を提供する。発明者たちは、２つの方法が、３ｋｍ／ｈでは同様の性能を達成すると予想されているが、速度が増加するにつれて、周波数領域の方法の方が良い性能で働き、大きな利益を得られことに注目している。そこで、周波数領域の方法には、次に２つの利点を期待することができる。１）スロットごとの処理を可能にすることによって、すなわち、２つのスロットを独立に処理することができるようにすることによって、特にランクの高い送信において、処理時間を効率的に短縮することができる。２）２つのスロット間でドップラ効果を考慮することによって、すなわち、適切なドップラ係数を使用して第２のスロットを重み付けすることによって、性能を改善することができる。原理上は、ランクの大きい送信において、周波数選択性の少ないチャネルが、この機能をサポートすると予想されている。
【００６８】
以下、無線ネットワークノードにおいて基準信号を送信する別の方法例について、図９に示すパターンおよび図１０のフロー図を参照して説明する。
【００６９】
図９に示すＯＣＣマッピングでは、２つのグループ間でＣＤＭグループ固有のシフトを使用する異なるＯＣＣマッピングが、２つのＣＤＭグループに対して使用されている。ここで、前の例と同様に、ＯＣＣの割り当てに長さ４のウォルシュ符号が使用されている。
【００７０】
図１０の方法ステップは、本質的に図８の方法ステップと同じである。しかし、１つの違いは、ステップ１０３０で第３のＣＤＭサブグループが送信されるとき、第１のサブグループで使用されたＯＣＣをシフトしたバージョンを使用して行われることである。たとえば、図９の第１のＣＤＭサブグループ、すなわち第１のサブキャリアに適用される符号要素は、ａ、ｂ、ｃ、ｄである。しかし、第３のＣＤＭサブグループすなわち第２のサブキャリアでは、符号要素は、ｃ、ｄ、ａ、ｂのようにシフトされた順序で適用される。
【００７１】
図７および８の実施形態に関連して既に述べた利点に加えて、直交カバーコードのシフトによって、ピーク電力ランダム化をさらに有効に利用することができる。周波数領域において符号要素を互い違いにすることにより、ピーク電力ランダム化が改善される。しかし、図９のパターンは、ＣＤＭグループ間の符号シフトのせいで、わずかに複雑になる。
【００７２】
以下、別の実施形態による、たとえばｅＮｏｄｅＢなどのネットワークノードにおいて基準信号を送信する方法について、図１１〜１３を参照して説明する。図１１および１２にそれぞれ示すＯＣＣマッピングパターンは、標準サブフレームと、拡張サイクリックプレフィックス（ＣＰ）が使用されるときの、ＤｗＰＴＳを有する特別なサブフレームとの両方に対する、２つの異なる機構を提示する。図１１は、同じパターンが２つのＣＤＭグループに適用されていることを示しているのに対して、図１２は、異なるパターンがそれぞれのＣＤＭグループに適用されていることを示している。ここでは、長さ２のウォルシュ符号が使用されている。
【００７３】
この例では、第１の基準信号は、第１の符号分割多重グループ、すなわち第１のＣＤＭグループで送信され、第２の基準信号は、第２のＣＤＭグループで送信される。各ＣＤＭグループは、少なくとも２つのＣＤＭサブグループを備え、各ＣＤＭサブグループは、２つのリソースエレメントを備えている。
【００７４】
図１３のフロー図は、方法ステップを示している。第１のステップ１３１０では、ネットワークノードは、直交カバーコードを使用して第１のＣＤＭサブグループで、および置換した直交カバーコードを使用して第２のＣＤＭサブグループで、第１の基準信号を送信する。
【００７５】
次のステップ１３２０では、ネットワークノードは、直交カバーコードを使用して第３のＣＤＭサブグループで、および置換した直交カバーコードを使用して第４のＣＤＭサブグループで、第２の基準信号を送信する。
【００７６】
一変形形態では、置換は、符号要素の順序を反転することを備えている。これは、図１１に示されており、第１のＣＤＭサブグループ１１１０および第３のＣＤＭサブグループ１１３０の符号要素ａ、ｂが反転されて、第２のＣＤＭサブグループ１１２０および第４のＣＤＭサブグループ１１４０のｂ、ａになっている。
【００７７】
いくつかの実施形態では、第１のＣＤＭサブグループは、１つのリソースブロック内で第２のＣＤＭサブグループと同じ回数繰り返される。
【００７８】
別のいくつかの実施形態では、第３のＣＤＭサブグループは、１つのリソースブロック内で第４のＣＤＭサブグループと同じ回数繰り返される。
【００７９】
図１２に示す変形形態などのいくつかの変形形態では、第３のＣＤＭサブグループで使用される直交カバーコードは、第１のＣＤＭサブグループで使用された直交カバーコードに対してシフトされている。言い換えると、ＯＣＣは、第１と第２のＣＤＭグループの間でシフトされている。他の変形形態では、第３のＣＤＭサブグループで使用される直交カバーコードは、第１のＣＤＭサブグループで使用された直交カバーコードと同じ順序で適用される。すなわち、２つのＣＤＭグループで、同じパターンが使用される。
【００８０】
本例では、直交カバーコードは、長さ２のウォルシュ符号である。
【００８１】
本例について、単一のアンテナポートの視点から説明しているが、最大２つのアンテナポートからの基準信号が、２つのアンテナポートのそれぞれに異なる直交カバーコードを使用して、第１のＣＤＭサブグループおよび第２のＣＤＭサブグループで、多重されてもよいことが理解されるべきである。また、さらに２つのアンテナポートからの基準信号が、それらの２つのアンテナポートのそれぞれに異なる直交カバーコードを使用して、第３のＣＤＭサブグループおよび第４のＣＤＭサブグループで多重化されてもよい。
【００８２】
本例の利点は、１つのＰＲＢ内で全面的なピーク電力ランダム化を達成することができることである。この理由は、符号要素が周波数領域で互い違いになるように、ＯＣＣが置換されているからである。たとえば、図１２（ａ）に示すパターンにおいて、第５のＯＦＤＭシンボルでは、符号要素「ａ」が４回起こり、符号要素「ｂ」が４回起こっている。同じことは、第６、第１３、および第１４のＯＦＤＭシンボルにも当てはまっている。この意味することは、アンテナポートの送信電力が、単一のＰＲＢ内の異なるＯＦＤＭシンボル間で均衡しており、それによって、電力のピークが減少しているということである。
【００８３】
本例の別のいくつかの特徴は、次のとおりである。
・長さ２のＯＣＣマッピングは、長さ２のＯＣＣがチャネル推定に使用されるＤＭ−ＲＳパターン例に基づいて設計されている。ここで、拡張ＣＰの場合は、ランク１〜４だけをサポートすると想定されている。したがって、各ＣＤＭグループは、最大２つのレイヤをサポートする。
・本例は、拡張ＣＰに対して標準ＣＰに適用されるのと同じ機構を再使用している。これは、実施の複雑さを減少している。
・ＯＣＣマッピングのパターンは、偶数および奇数のＰＲＢに対して同じである。
・時間−周波数２Ｄ直交性について、ＰＲＢごとのスロットごとに有効に利用することができる。
【００８４】
図１４は、標準ＣＰを使用するＤｗＰＴＳ用のＤＭ−ＲＳパターン例を示している。本明細書に記載する種々の実施形態は、このパターンにも適用可能であることが指摘される。特に、図１４の右側のグリッドでは、ＣＤＭサブグループで基準信号を運ぶ４つのＲＥが全て、第１のタイムスロットに含まれている。そうではあるが、第１と第２のＣＤＭサブグループの間の符号要素の置換に関するのと同じ原理が、ここで使用されてもよい。たとえば、第１のＣＤＭサブグループで符号要素ａ、ｂ、ｃ、ｄが適用される場合、置換された符号は、たとえばｄ、ａ、ｂ、ｃでもよい。他の可能な符号は、たとえばａ、ｄ、ｂ、ｃまたはａ、ｂ、ｄ、ｃなどである。また、第２のＣＤＭグループに適用されるＯＣＣは、第１のＣＤＭグループのＯＣＣと比べてシフトされていてもよいし、またされていなくてもよい。ＯＣＣの置換は、図１１〜１３に関して上述の実施形態と同様に、ピーク電力ランダム化を可能にするように選択されてもよい。
【００８５】
以下、いくつかの実施形態による、ユーザ装置において基準信号を復号する方法について、図７のパターンおよび図１５のフロー図を参照して説明する。基準信号は、ＣＤＭグループで受信され、このＣＤＭグループは、少なくとも２つのＣＤＭサブグループを備えている。各ＣＤＭサブグループは、異なるサブキャリアで受信され、各ＣＤＭサブグループは、第１のタイムスロットと次のタイムスロットにリソースエレメントを備えている。
【００８６】
第１のタイムスロットでは、ＵＥは、第１のＣＤＭサブグループ７１０に含まれている第１のリソースエレメントセットで第１の信号を受信し、第２のＣＤＭサブグループ７２０に含まれている第２のリソースエレメントセットで第２の信号を受信する。特定の例として、第１の信号は、ＣＤＭサブグループ７１０の「ａ」および「ｂ」と記されているＲＥで受信され、第２の信号は、ＣＤＭサブグループ７２０の「ｄ」および「ｃ」と記されているＲＥで受信される。
【００８７】
ＵＥは、第１および第２のリソースエレメントセットの信号に直交カバーコードを適用して、基準信号を復号する。図７から分かるように、第１の信号は、符号要素ａおよびｂを使用して符号化されている基準信号に相当するのに対して、第２の信号は、同じ基準信号だが、符号要素ｃおよびｄを使用して符号化されている基準信号に相当する。第１および第２の信号を一緒にすると、元の基準信号を復元するのに十分な情報を有している。したがって、ＵＥは、第１のタイムスロットで受信する情報に基づいてＲＳを復号することができ、第２のタイムスロットが到着するのを待つ必要がない。
【００８８】
この実施形態の変形形態では、ＵＥは、第２のＣＤＭグループで受信される第２の基準信号を復号する。第２のＣＤＭグループは、少なくとも２つのＣＤＭサブグループを備え、各ＣＤＭサブグループは、異なるサブキャリアで受信される。各ＣＤＭサブグループは、第１のタイムスロットと次のタイムスロットにリソースエレメントを備えている。ＵＥは、第１のタイムスロットにおいて、第３のＣＤＭサブグループ７３０に含まれるリソースエレメントセットで第３の信号を受信し、第４のＣＤＭサブグループ７４０に含まれるリソースエレメントセットで第４の信号を受信する。上述と同様に、第３および第４の信号は、それぞれ有している。ＵＥは、第３および第４のリソースエレメントセットに直交カバーコードを適用して、第２の基準信号を復号する。
【００８９】
いくつかの変形形態では、各ＣＤＭサブグループは、４つのＲＥを備え、そのうちの２つは、第１のタイムスロットに含まれている。
【００９０】
上述のように、各基準信号に異なる直交カバーコードを適用することによって、各ＣＤＭサブグループ内で最大４つのアンテナポートからの信号を多重化することができることが指摘されている。したがって、別の実施形態では、ＵＥは、第１および第２の信号に、各基準信号用の異なる直交カバーコードを適用して、第１のＣＤＭグループ内で多重化されている、さらに３つのアンテナポートに対応する、さらに３つの基準信号を復号する。複数の基準信号を同じＣＤＭサブグループ内で多重化するとき、符号が全て相互に直交するように、異なる直交カバーコードは、同じＯＣＣのセットから来る必要がある。たとえば、異なる符号は、長さ４のウォルシュ行列の異なる行でもよい。
【００９１】
また別の実施形態では、ＵＥは、第３および第４の信号に各基準信号用の異なる直交カバーコードを適用して、第２のＣＤＭグループ内で多重化されている、さらに３つのアンテナポートに対応する、３つの信号を復号する。したがって、この実施形態では、各ＣＤＭグループで４つずつ、合計８つの基準信号が復号される。
【００９２】
図１６は、上述のいくつかの実施形態にしたがって基準信号を送信するように構成された無線ネットワークノードを示している。無線ネットワークノード１６００は、たとえばＬＴＥのｅＮｏｄｅＢとして実施することができる。当業者は、１つ以上の実施形態の無線ネットワークノード１６００が、マイクロプロセッサ、トランシーバ回路１６２０、基準信号を送信する本明細書に開示の機能を実行するように構成された他のコンピュータ／デジタル処理回路などの、１つ以上の処理回路１６１０、１６２０を有することを認識するであろう。図１６は、８つのアンテナポートを備えたネットワークノードを示しているが、当然のことながら、いくつかの実施形態では、ネットワークノード１６００は、たとえば２または４などの他の数のアンテナポートを有してもよい。
【００９３】
一実施例では、１つ以上の処理回路１６１０、１６２０は、直交カバーコードを使用して、第１のＣＤＭサブグループで基準信号を送信するように構成されており、この第１のＣＤＭサブグループは、第１のタイムスロットと次のタイムスロットにリソースエレメントを備えている。さらに、１つ以上の処理回路１６１０、１６２０は、置換した直交カバーコードを使用して、第２のＣＤＭサブグループで基準信号を送信するように構成されており、第２のＣＤＭサブグループは、第１のタイムスロットおよび第２のタイムスロットにリソースエレメントを備えている。１つ以上の処理回路１６１０、１６２０は、周波数領域において基準信号の復号が可能になるように、直交カバーコードの置換を選択するようにさらに構成されている。すなわち、受信ＵＥは、第１のタイムスロットに含まれるＣＤＭグループのリソースエレメントだけに、直交カバーコードを適用することにより、信号を復号することができる。
【００９４】
この実施形態のいくつかの変形形態では、１つ以上の処理回路１６１０、１６２０は、第２のＣＤＭグループで第２のアンテナポートから第２の基準信号を送信するように構成されている。この第２のＣＤＭグループは、少なくとも２つのＣＤＭサブグループを備え、各ＣＤＭサブグループは、異なるサブキャリアで送信され、各ＣＤＭサブグループは、１つ以上のリソースエレメントを備えている。第２の基準信号のこの送信を実行するために、１つ以上の処理回路１６１０、１６２０は、直交カバーコードを使用して、第３のＣＤＭサブグループ７３０で第２の基準信号を送信する８３０ように構成されている。この第３のＣＤＭサブグループ７３０は、第１のタイムスロットと次のタイムスロットにリソースエレメントを備えている。さらに、１つ以上の処理回路１６１０、１６２０は、第２の置換した直交カバーコードを使用して、第４のＣＤＭサブグループ７４０で第２の基準信号を送信する８４０ように構成されている。この第４のＣＤＭサブグループ７４０は、第１のタイムスロットと次のタイムスロットにリソースエレメントを備えている。１つ以上の処理回路１６１０、１６２０は、第１のタイムスロットに含まれる第２のＣＤＭグループのリソースエレメントだけに、直交カバーコードを適用することで、周波数領域において第２の基準信号の復号が可能になるように、直交カバーコードの第２の置換を選択するように構成されている。
【００９５】
いくつかの変形形態では、１つ以上の処理回路１６１０、１６２０は、第１のＣＤＭサブグループ７１０で使用された直交カバーコードと比べて、たとえばサイクリックシフトなどを使用してシフトされている直交カバーコードを使用して、第３のＣＤＭサブグループ７３０で第２の基準信号を送信するように構成されている。すなわち、ＯＣＣは、第１と第２のＣＤＭグループの間でシフトされている。
【００９６】
他の変形形態では、１つ以上の処理回路１６１０、１６２０は、第１のＣＤＭサブグループ７１０で使用された直交カバーコードと同じ順序で、第３のＣＤＭサブグループ７３０で使用される直交カバーコードを適用するように構成されている。
【００９７】
いくつかの変形形態では、直交カバーコードは、ウォルシュ符号である。特定の変形形態では、ＯＣＣは長さが４であり、各ＣＤＭサブグループは、４つのリソースエレメントを備えている。
【００９８】
いくつかの変形形態では、１つ以上の処理回路１６１０、１６２０は、直交カバーコードをシフトすることによって直交カバーコードの置換を行うように構成されている。
【００９９】
いくつかの変形形態では、１つ以上の処理回路１６１０、１６２０は、第１のＣＤＭサブグループ５１０、７１０の第１のタイムスロットのリソースエレメントに適用した符号要素を、第２のＣＤＭサブグループ５２０、７２０の第２のタイムスロットのリソースエレメントに適用することにより、およびその逆に適用することにより、直交カバーコードの置換を行うように構成されている。
【０１００】
他の変形形態では、１つ以上の処理回路１６１０、１６２０は、符号要素の順序を反転することにより、直交カバーコードの置換を行うように構成されている。
【０１０１】
いくつかの変形形態では、１つ以上の処理回路１６１０、１６２０は、第１のＣＤＭサブグループ５１０および第２のＣＤＭサブグループ５２０で、４つのアンテナポートからの基準信号を多重し、４つのアンテナポートのそれぞれに対して異なる直交カバーコードを使用するように構成されている。
【０１０２】
別のいくつかの変形形態では、１つ以上の処理回路１６１０、１６２０は、第３のＣＤＭサブグループ７３０および第４のＣＤＭサブグループ７４０で、さらに４つのアンテナポートからの基準信号を多重し、それら４つのアンテナポートのそれぞれに対して異なる直交カバーコードを使用するように構成されている。
【０１０３】
いくつかの変形形態では、１つ以上の処理回路１６１０、１６２０は、２つのリソースブロックを通して、第１のＣＤＭサブグループ５１０、７１０と、第２のＣＤＭサブグループ５２０、７２０とを、同じ回数繰り返すように構成されている。
【０１０４】
別のいくつかの変形形態では、１つ以上の処理回路１６１０、１６２０は、２つのリソースブロックを通して、第３のＣＤＭサブグループ７３０と、第４のＣＤＭサブグループ７４０とを、同じ回数繰り返すように構成されている。
【０１０５】
別の例では、１つ以上の処理回路１６１０、１６２０は、直交カバーコードを使用して第１のＣＤＭサブグループで、および置換した直交カバーコードを使用して第２のＣＤＭサブグループで、第１の基準信号を送信するように構成されている。１つ以上の処理回路１６１０、１６２０は、直交カバーコードを使用して第３のＣＤＭサブグループで、および置換した直交カバーコードを使用して第４のＣＤＭサブグループで、第２の基準信号を送信するように構成されている。１つ以上の処理回路１６１０、１６２０は、単一のリソースブロック内でピーク電力ランダム化を可能にするように、直交カバーコードの置換を選択するようにさらに構成されている。
【０１０６】
この例のいくつかの変形形態では、１つ以上の処理回路１６１０、１６２０は、符号要素の順序を反転することにより、直交カバーコードの置換を行うように構成されている。
【０１０７】
いくつかの変形形態では、１つ以上の処理回路１６１０、１６２０は、１つのリソースブロック内で、第１のＣＤＭサブグループと第２のＣＤＭサブグループとを、同じ回数繰り返すように構成されている。
【０１０８】
別のいくつかの変形形態では、１つ以上の処理回路１６１０、１６２０は、１つのリソースブロック内で、第３のＣＤＭサブグループと第４のＣＤＭサブグループとを、同じ回数繰り返すように構成されている。
【０１０９】
いくつかの変形形態では、１つ以上の処理回路１６１０、１６２０は、第１のＣＤＭサブグループで使用された直交カバーコードと比べて、たとえばサイクリックシフトなどを使用してシフトされている直交カバーコードを、第３のＣＤＭサブグループで使用するように構成されている。したがって、ＯＣＣは、第１と第２のＣＤＭグループの間でシフトされている。
【０１１０】
図１７は、上述の実施形態のいくつかにしたがって基準信号を復号するように構成されたユーザ装置１７００を示している。当業者は、１つ以上の実施形態のＵＥ１７００が、マイクロプロセッサ、トランシーバ回路１７２０、または基準信号を復号する本明細書に開示の機能を実行するように構成された他のコンピュータ／デジタル処理回路などの１つ以上のプロセッシング回路（処理回路）１７１０、１７２０を有することを認識するであろう。１つの例では、ＵＥ１７００は、第１のタイムスロットで、第１のＣＤＭサブグループに含まれる第１のリソースエレメントセットを受信するように構成されている。ＵＥ１７００は、第１のタイムスロットで、第２のＣＤＭサブグループに含まれる第２のリソースエレメントセットを受信するようにさらに構成されている。また、ＵＥ１７００は、第１および第２のリソースエレメントセットに直交カバーコードを適用することにより、基準信号を復号するようにも構成されている。
【０１１１】
この例のいくつかの変形形態では、１つ以上の処理回路１７１０、１７２０は、第２の符号分割多重グループ、すなわち第２のＣＤＭグループで受信される第２の基準信号を復号するように構成されている。このＣＤＭグループは、少なくとも２つのＣＤＭサブグループを備え、各ＣＤＭサブグループは、異なるサブキャリアで受信され、各ＣＤＭサブグループは、第１のタイムスロットと次のタイムスロットにリソースエレメントを備えている。第２の基準信号を復号するために、１つ以上の処理回路１７１０、１７２０は、第１のタイムスロットで、第３のＣＤＭサブグループに含まれる第３のリソースエレメントセット、および第４のＣＤＭサブグループに含まれる第４のリソースエレメントセットを受信するように構成されている。さらに、１つ以上の処理回路１７１０、１７２０は、第３および第４のリソースエレメントセットに直交カバーコードを適用することにより、基準信号を復号するように構成されている。
【０１１２】
いくつかの変形形態では、各ＣＤＭサブグループは、４つのＲＥを備え、そのうちの２つは、第１のタイムスロットに含まれている。
【０１１３】
いくつかの変形形態では、１つ以上の処理回路１７１０、１７２０は、さらに３つのアンテナポートから送信されたさらに３つの基準信号を、各基準信号用の異なる直交カバーコードを第１および第２のリソースエレメントセットに適用することによって、復号するように構成されている。当然のことながら、ここで、複数の基準信号が同じＣＤＭ内で多重されているとき、異なる直交カバーコードは、符号が全て相互に直交するように、同じＯＣＣのセットから来る必要がある。たとえば、異なる符号は、長さ４のウォルシュ行列の異なる行であってもよい。
【０１１４】
別のいくつかの変形形態では、１つ以上の処理回路１７１０、１７２０は、各基準信号用の異なる直交カバーコードを第３および第４のリソースエレメントセットに適用することにより、さらに３つの基準信号を復号するように構成されている。
【０１１５】
本明細書において「備える（ｃｏｍｐｒｉｓｅまたはｃｏｍｐｒｉｓｉｎｇ）」という語を使用するとき、それは、非限定と解釈される、すなわち、「少なくとも〜から成る」ことを意味するものである。
【０１１６】
さらに、本明細書において、たとえば「第１のタイムスロットに含まれるＣＤＭグループのリソースエレメント」などのある種のリソースエレメントに、ＯＣＣを適用すると述べるときはいつでも、それが意味することは、それらのリソースエレメントで送信または受信される信号に、ＯＣＣが適用されることであることを指摘しておく。
【０１１７】
本発明は、上述の実施形態に限定されない。種々の代替形態、変更形態、および均等物が使用されてもよい。したがって、上の実施形態は、本発明の範囲を限定すると解釈されるべきではない。本発明の範囲は、添付の特許請求の範囲によって規定される。強調しておくべき１つの点は、本発明についてある特定の基準信号パターンを使用して説明しているが、一般的概念は、他のＤＭ−ＲＳパターンにも潜在的に適用可能であるということである。
【０１１８】
［略語集］
３ＧＰＰ  第３世代パートナーシッププロジェクト(3rd Generation Partnership Project)
ＣＤＭ  符号分割多重(code division multiplexing)
ＤｗＰＴＳ  ダウンリンク・パイロット・タイムスロット(Downlink Pilot Timeslot)
ＤＭ−ＲＳ  復調基準信号(Demodulation reference signals)
ＦＤＤ  周波数分割複信(frequency division duplex)
ＦＤＭ  周波数分割多重(frequency division multiplexing)
ＬＴＥ  ＬＴＥ(Long term evolution)
ＭＩＭＯ  ＭＩＭＯ(Multiple-Input, Multiple-Output)
ＯＣＣ  直交カバーコード(orthogonal cover code)
ＯＦＤＭ  直交周波数分割多重(orthogonal frequency division multiplex)
ＰＲＢ  物理リソースブロック(physical resource block)
ＴＤＤ  時分割複信(time division duplex)
【図１】
0005992067.tif 000003
【図２】
0005992067.tif 000004
【図３】
0005992067.tif 000005
【図４】
0005992067.tif 000006
【図５】
0005992067.tif 000007
【図６】
0005992067.tif 000008
【図７】
0005992067.tif 000009
【図８】
0005992067.tif 000010
【図８ａ】
0005992067.tif 000011
【図９】
0005992067.tif 000012
【図１０】
0005992067.tif 000013
【図１１】
0005992067.tif 000014
【図１２】
0005992067.tif 000015
【図１３】
0005992067.tif 000016
【図１４】
0005992067.tif 000017
【図１５】
0005992067.tif 000018
【図１６】
0005992067.tif 000019
【図１７】
0005992067.tif 000020